(57)【要約】  取得した管理対象の位置、管理対象の使用量、及び管理対象者の位置の情報、並びに管理対象が含有する管理対象物質ごとの含有量に係る情報を少なくとも用いて管理対象が含有する管理対象物質の、管理対象者へのばく露量を予め定めた演算式により演算し、管理対象者ごとに、各管理対象物質へのばく露量を累積して記録するばく露量管理装置である。
2020040062.tif 000002
【特許請求の範囲】
【請求項１】
管理対象物質に対する人ごとのばく露量を管理するばく露量管理装置であって、
前記管理対象物質を含有する管理対象ごとに、含有する前記管理対象物質ごとの含有量に係る情報を保持する手段と、
前記管理対象の位置に係る情報を取得する対象物位置取得手段と、
前記管理対象の使用量に係る情報を取得する対象物使用量取得手段と、
管理対象者の位置に係る情報を取得する対象者位置取得手段と、
を含み、
前記取得した管理対象の位置、管理対象の使用量、及び管理対象者の位置の情報、並びに管理対象が含有する前記管理対象物質ごとの含有量に係る情報を少なくとも用いて、前記管理対象が含有する管理対象物質の、前記管理対象者へのばく露量を予め定めた演算式により演算する演算手段と、
前記管理対象者ごとに、各管理対象物質へのばく露量を累積して記録する手段と、
を含むばく露量管理装置。
【請求項２】
請求項１に記載のばく露量管理装置であって、
前記対象物位置取得手段は、管理対象の位置に係る情報として、前記管理対象が利用される室内における位置の情報を取得し、
前記対象者位置取得手段は、前記管理対象者の、室内における位置に係る情報を取得し、
前記演算手段は、管理対象物質の蒸気圧、拡散長の情報をさらに取得し、前記室内における前記管理対象と、管理対象者との距離を求め、
前記管理対象が含有する管理対象物質の含有量と管理対象の使用量との情報から管理対象物質ごとの前記室内における使用量に係る情報を求め、
当該求めた管理対象物質ごとの前記室内における使用量と、管理対象物質の蒸気圧と、拡散長の情報と、前記管理対象と、管理対象者との距離とに基づいて、前記管理対象が含有する管理対象物質の、前記管理対象者へのばく露量を演算するばく露量管理装置。
【請求項３】
請求項１または２に記載のばく露量管理装置であって、
前記管理対象者ごとに記録された、各管理対象物質への所定の期間内のばく露量と、各管理対象物質の毒性に関する情報とを比較し、所定の期間内に、毒性に関する情報と比較して有意に高い量のばく露があった前記管理対象者と前記管理対象物質とについての情報を出力するばく露量管理装置。
【請求項４】
コンピュータに、管理対象物質に対する人ごとのばく露量を管理させるためのプログラムであって、
コンピュータを、
前記管理対象物質を含有する管理対象ごとに、含有する前記管理対象物質ごとの含有量に係る情報を保持する手段と、
前記管理対象の位置に係る情報を取得する対象物位置取得手段と、
前記管理対象の使用量に係る情報を取得する対象物使用量取得手段と、
管理対象者の位置に係る情報を取得する対象者位置取得手段と、
を含み、
前記取得した管理対象の位置、管理対象の使用量、及び管理対象者の位置の情報、並びに管理対象が含有する前記管理対象物質ごとの含有量に係る情報を少なくとも用いて、前記管理対象が含有する管理対象物質の、前記管理対象者へのばく露量を予め定めた演算式により演算する演算手段と、
前記管理対象者ごとに、各管理対象物質へのばく露量を累積して記録する手段と、
として機能させるプログラム。
【発明の詳細な説明】
【技術分野】
【０００１】
本発明は、管理対象物質に対する人ごとのばく露量を管理するばく露量管理装置、及びプログラムに関する。
【背景技術】
【０００２】
工業製品のライフサイクル全体で使用されている化学物質を管理することを目的として、無線タグを用いて管理するシステムが特許文献１に開示されている。
【先行技術文献】
【特許文献】
【０００３】
【特許文献１】特開２００５−３２７０３７号公報
【発明の概要】
【発明が解決しようとする課題】
【０００４】
しかしながら、上記従来のシステムを含め、化学物質を管理するシステムでは、化学物質の使用者、あるいは化学物質が使用される現場の近くに所在した人物に対する化学物質のばく露の影響を必ずしも管理できていない。【０００５】
具体的に、化学物質を使用する現場では、例えば混酸のように、複数の酸が含まれる物質を利用する場面において、含まれる複数の酸のそれぞれを評価することが従来、行われていない。【０００６】
また、塩酸ＨＣｌを利用する場面であっても、塩酸は必ずしも純粋に一つの化合物であるＨＣｌのみが含まれるのではなく、水Ｈ２Ｏ等も、ＨＣｌとともに含まれている。しかし、従来の技術では使用された化学物質の名称である「塩酸」のみが管理されていた。【０００７】
このように、従来の技術では、ある化学物質製品に複数の化合物が含有されていても、当該複数の化合物等のそれぞれの含有量や、その拡散・漏洩などまで管理されていなかった。【０００８】
また、例えば実験室等では、必ずしも一つの実験のみが行われるものではなく、隣接するテーブルでは別の実験が行われている場合があるが、従来は化学物質の利用される環境等の情報が管理されていない。【０００９】
本発明は上記実情に鑑みて為されたもので、化学物質等の使用者、あるいは化学物質等が使用される現場の近くに所在した人物に対する化学物質のばく露の影響を管理できるばく露量管理装置、及びプログラムを提供することを、その目的の一つとする。
【課題を解決するための手段】
【００１０】
上記従来例の問題点を解決するための本発明の一態様は、管理対象物質に対する人ごとのばく露量を管理するばく露量管理装置であって、前記管理対象物質を含有する管理対象ごとに、含有する前記管理対象物質ごとの含有量に係る情報を保持する手段と、前記管理対象の位置に係る情報を取得する対象物位置取得手段と、前記管理対象の使用量に係る情報を取得する対象物使用量取得手段と、管理対象者の位置に係る情報を取得する対象者位置取得手段と、を含み、前記取得した管理対象の位置、管理対象の使用量、及び管理対象者の位置の情報、並びに管理対象が含有する前記管理対象物質ごとの含有量に係る情報を少なくとも用いて、前記管理対象が含有する管理対象物質の、前記管理対象者へのばく露量を予め定めた演算式により演算する演算手段と、前記管理対象者ごとに、各管理対象物質へのばく露量を累積して記録する手段と、を含むこととしたものである。
【発明の効果】
【００１１】
本発明によると、化学物質等の使用者、あるいは化学物質が使用される現場の近くに所在した人物に対する化学物質等のばく露の影響を管理できる。
【図面の簡単な説明】
【００１２】
【図１】本発明の実施の形態に係るばく露量管理装置の構成例及び接続例を表すブロック図である。
【図２】本発明の実施の形態に係るばく露量管理装置が保持する、管理対象と管理対象物質との関係の情報の例を表す説明図である。
【図３】本発明の実施の形態に係るばく露量管理装置の例を表す機能ブロック図である。
【図４】本発明の実施の形態に係るばく露量管理装置の動作例を表すフローチャート図である。
【図５】本発明の実施の形態に係るばく露量管理装置が保持する、検出装置間の距離の設定情報の例を表す説明図である。
【発明を実施するための形態】
【００１３】
本発明の実施の形態について図面を参照しながら説明する。本発明の実施の形態に係るばく露量管理装置１は、図１に例示するように、制御部１１、記憶部１２、操作部１３、表示部１４及び通信部１５を含んで構成されている。またこのばく露量管理装置１は、複数の検出装置２に接続されている。
【００１４】
この検出装置２は、化学物質の所在等を検出するものである。検出装置２は、例えば実験室の各テーブル等、管理対象物質である化学物質を含有する管理対象（試薬等）が使用される場所や保管される場所等所定の位置にそれぞれ配される。この検出装置２のそれぞれは、予め定められた検出範囲内に存在する試薬等、管理対象を特定する情報や、当該管理対象の使用量等の情報を取得して、ばく露量管理装置１に出力する。
【００１５】
本実施の形態の一例では、試薬等の管理対象には、管理対象を識別する情報（識別情報）を発信するＲＦＩＤタグ、あるいはバーコード等の識別票が付されているものとする。この例では、検出装置２は、設定された検出範囲内に存在するＲＦＩＤタグが発信する識別情報を検出し、あるいはバーコードをバーコードリーダで読み取ることで、検出範囲内に存在する管理対象を特定する情報を得てもよい。
【００１６】
あるいは、この検出装置２は、キーボードやバーコードリーダ等の入力装置を備えて、設定された検出範囲内において試薬等の管理対象が使用される際に、使用者等がこの入力装置を操作して、管理対象を特定する情報を入力することとしてもよい。
【００１７】
また、管理対象の使用量についても、検出装置２がキーボードやバーコードリーダ等の入力装置を備えて、設定された検出範囲内において管理対象が使用される際に、使用者等がこの入力装置を操作して、管理対象の使用量に関する情報を入力することとしてもよい。あるいは検出装置２は、その検出範囲内に配された秤により、管理対象の使用前と使用後との重量（試薬であれば容器を含む重量でよい）を測定し、その差から管理対象の使用量を求めて、検出装置２に対して当該求めて得た管理対象の使用量の情報を送出する機能を有してもよい。
【００１８】
またこの検出装置２は、上記予め定められた検出範囲内に所在する管理対象者となる人物を特定する情報を、所定のタイミングごと（例えば一定の時間間隔ごと）に繰り返して取得して、ばく露量管理装置１に出力する。この場合も、管理対象者となる人物が、自己を特定する情報を発信するＲＦＩＤタグ等の識別票を所持することとなっていてもよい。このときには、検出装置２は設定された検出範囲内に存在するＲＦＩＤタグが発信する、人物を特定する情報を、所定のタイミングごとに検出することで、検出範囲内に存在する管理対象者を特定する情報を得てもよい。
【００１９】
またこの場合、検出装置２は、検出範囲内に所在する管理対象者を特定する情報が取得できなければ（例えば管理対象者が一人も検出範囲内にいないなどの場合）、管理対象者がない旨の情報を出力する。
【００２０】
あるいは、検出装置２がキーボードやバーコードリーダ等の入力装置を備えて、使用者等がこれらの入力装置を操作して、設定された検出範囲内に所在する管理対象者を特定する情報を入力することとしてもよい。
【００２１】
本実施の形態のある例では、ばく露量管理装置１の制御部１１は、ＣＰＵ等のプログラム制御デバイスであり、記憶部１２に格納されたプログラムに従って動作する。本実施の形態の例では、この制御部１１は、各検出装置２から検出装置２の近傍にある管理対象である化学物質等を特定する情報やその使用量に関する情報を受け入れる。そして管理対象である化学物質等を特定する情報やその使用量に関する情報の受け入れ元となる検出装置２の配置位置を用いて、管理対象である化学物質等の位置に係る情報やその位置における管理対象の使用量に関する情報を取得する。
【００２２】
またこの制御部１１は、管理対象者となる人物を特定する情報の受け入れ元の検出装置２の配置位置の情報を用い、管理対象者の位置に係る情報を取得する。
【００２３】
そして制御部１１は、当該取得した管理対象の位置、管理対象の使用量、及び管理対象者の位置の情報、並びに管理対象が含有する管理対象物質ごとの含有量に係る情報を少なくとも用いて、管理対象が含有する管理対象物質の、管理対象者へのばく露量を予め定めた演算式により演算し、管理対象者ごとに、各管理対象物質へのばく露量を累積して記録する。この制御部１１の具体的動作については後に述べる。
【００２４】
記憶部１２は、ディスクデバイスやメモリデバイスであり、制御部１１によって実行されるプログラムを保持する。このプログラムは、コンピュータ可読かつ非一時的な記録媒体に格納されて提供され、この記憶部１２に格納されたものであってもよい。また、この記憶部１２は、制御部１１のワークメモリとしても動作する。
【００２５】
本実施の形態の一例では、この記憶部１２には、管理対象物質を含有する管理対象ごとに、含有する管理対象物質ごとの含有量に係る情報を管理対象データベースとして保持してもよい。この管理対象データベースの一例は図２に示すように、管理対象を特定する情報（Ｄ）と、当該管理対象に含有される管理対象物質（Ｃ）の含有量の情報（ＷＣ）とを関連付けたものである。
【００２６】
ここで管理対象を特定する情報は、例えばこのばく露量管理装置１が配される組織が大学等の実験施設であれば、試薬の種類（メーカーや主たる含有成分等）ごとに固有の識別情報でよい。また、管理対象物質については予め定めておくものとし、試薬の種類ごとにそれに含有される管理対象物質の含有量の情報を、例えばモル濃度（mol/l）や、重量％等によって表して、記憶部１２に保持したデータベース等に記録しておく。なお、このデータベースには、さらに、管理対象物質に係る蒸気圧Ｖや拡散長Ｌ等の、管理対象物質の拡散状態に関する情報が格納されてもよい。
【００２７】
また、本実施の形態の例では、この記憶部１２には、各検出装置２を識別する情報（検出装置識別子）と、対応する検出装置２の配置されている場所（位置情報）とを互いに関連付けた検出装置データベースが格納されている。ここで位置情報は、例えば部屋を特定する情報（建物を識別する情報や部屋を識別する情報などを含む）、並びに、同じ部屋に配されている他の検出装置２の検出装置識別子と当該他の検出装置２との距離を表す情報とを関連付けた距離情報を含む。
【００２８】
操作部１３は、マウスやキーボード等であり、利用者の指示操作を受け入れて制御部１１に出力する。表示部１４は、ディスプレイ等であり、制御部１１から入力される指示に従い、情報を出力する。
【００２９】
通信部１５は、ネットワークインタフェース等であり、ネットワークを介して検出装置２等のデバイスとの間で通信可能に接続される。本実施の形態では、この通信部１５は検出装置２が出力する情報を受け入れて制御部１１に出力する。
【００３０】
次に、本実施の形態の制御部１１の動作について説明する。本実施の形態の制御部１１は、機能的には、図３に例示するように、対象物情報取得部２１と、対象者位置取得部２２と、演算処理部２３と、記録処理部２４とを含んで構成されている。
【００３１】
対象物情報取得部２１は、各検出装置２から検出装置２の近傍にある管理対象である試薬等を特定する情報やその使用量に関する情報を受け入れる。そして対象物情報取得部２１は、管理対象である試薬等を特定する情報やその使用量に関する情報の受け入れ元となる検出装置２の配置位置を、管理対象である試薬等の所在位置として、当該所在位置を表す情報と、管理対象である試薬等を特定する情報と、その使用量に関する情報と、日時を表す情報（図示しないカレンダーＩＣや時刻サーバ等から取得する）を関連付けて記録する。
【００３２】
対象者位置取得部２２は、各検出装置２から検出装置２の近傍に所在する管理対象者を特定する情報を所定のタイミングごと（各検出装置２における検出のタイミングごと）に受け入れる。そして対象者位置取得部２２は、当該管理対象者を特定する情報と、その情報の受け入れ元となる検出装置２の配置位置と、日時を表す情報（図示しないカレンダーＩＣや時刻サーバ等から取得する）とを関連付けて記録する。
【００３３】
この記録は、検出装置２の検出タイミングごとに更新される。また検出装置２が、検出装置２の近傍に所在する管理対象者がいないことを表す情報を出力しているときには、この対象者位置取得部２２は、その旨を表す情報を、情報の受け入れ元となる検出装置２の配置位置と、日時を表す情報とに関連付けて記録する。
【００３４】
演算処理部２３は、例えば管理対象者ごとに、取得した管理対象Ｄの位置、管理対象Ｄの使用量、及び当該管理対象者の位置の情報、並びに管理対象Ｄが含有する管理対象物質Ｃごとの含有量Ｄｃに係る情報を少なくとも用いて、管理対象Ｄが含有する管理対象物質Ｄｃの、当該管理対象者へのばく露量を予め定めた演算式により演算する。
【００３５】
具体的に、この演算処理部２３は、管理対象者のうちから、処理対象となる管理対象者（処理対象者と呼ぶ）を順次選択して図４に例示する処理を実行する。すなわち演算処理部２３は、対象者位置取得部２２が記録している情報から、処理対象者についての所在位置を表す情報である、当該管理対象者に関する情報に関連付けられた検出装置２の位置の情報Ｐｃと、日時の情報Ｔｐとの組を取得する。
【００３６】
演算処理部２３は、そしてこの記録のうち、指定された期間に含まれる日時の情報Ｔｐi（ｉ＝１，２，…，Ｎ）と、それぞれの日時の情報Ｔｐiに関連付けられた処理対象者についての所在位置を表す情報Ｐｐi（ｉ＝１，２，…，Ｎ）を抽出する（Ｓ１）。
【００３７】
また演算処理部２３は、対象物情報取得部２１が記録した情報のうち、指定された期間に含まれる日時の情報Ｔｃに関連付けられた、検出装置２の位置を表す情報Ｐｃと、管理対象である試薬等の種類Ｃ及びその使用量Ｗに関する情報と（以下、対象物に係る情報と呼ぶ）を取得する（Ｓ２）。なお、処理Ｓ１，Ｓ２の処理順は逆であってもよい。つまり処理Ｓ２を実行してから処理Ｓ１を実行してもよい。
【００３８】
演算処理部２３は、処理Ｓ１で取得した処理対象者の情報に含まれる日時の情報Ｔｐi（ｉ＝１，２，…，Ｎ）及びそれぞれの日時の時点での処理対象者の位置を表す情報Ｐｐi（ｉ＝１，２，…，Ｎ）を参照し、ｉ＝２から順にＮまで変化させつつ、次の処理を実行する（Ｓ３）。ここで各情報は、日時の情報が表す日時の順に並べ替えがされているものとする。つまり、必ずＴｐi+1＞Ｔｐiであるものとする。
【００３９】
演算処理部２３は、ｉ番目の日時の情報Ｔｐiと、ｉ−１番目の日時の情報Ｔｐi-1とのそれぞれに関連付けられている処理対象者についての所在位置を表す情報Ｐｐi，Ｐｐi-1を参照し、これらが一致しているか（Ｐｐi＝Ｐｐi-1であるか、すなわち、直前の所在（ｉ−１の時点）と現在注目している時点の所在（ｉの時点）とが一致しているか）を調べる（Ｓ４）。そして一致していれば（Ｓ４：Ｙｅｓ）、演算処理部２３は、ｉ番目の日時の情報Ｔｐiと、ｉ−１番目の日時の情報Ｔｐi-1の間の対象物に係る情報を抽出する（Ｓ５）。すなわち演算処理部２３は、Ｔｐi＞Ｔｃ≧Ｔｐi-1であるような日時の情報Ｔｃを含む対象物に係る情報を抽出する。
【００４０】
演算処理部２３は、この処理Ｓ５で抽出した対象物に係る情報のうち、処理対象者の所在位置Ｐｐiとの間で、予め定めた関係を有すると判断される検出装置２の位置の情報Ｐｃを見出し、さらに当該見出した検出装置２の位置の情報Ｐｃに関連付けられた、管理対象である試薬等の種類Ｄ及びその使用量Ｗに関する情報を抽出する（Ｓ６）。ここで、処理対象者の所在位置Ｐｐとの間の関係は、例えば、同じ室内であるとの関係にあることとしてもよいし、距離が予め定めた距離を下回っている、との関係であることとしてもよい。
【００４１】
以下の例では、演算処理部２３は、対象物に係る情報のうち、その検出装置２の位置の情報Ｐｃで表される位置が、処理対象者の所在位置Ｐｐで表される位置と同じ室内である（処理対象者を検出した検出装置２と同じ室内にある検出装置２で検出された対象物に係る情報である）ものを抽出することとする。
【００４２】
演算処理部２３は、処理Ｓ６で抽出した情報を用い、処理対象者への管理対象Ｄに含まれる管理対象物質Ｃごとの、処理Ｓ３で選択している時間範囲（Ｔｐi-1からＴｐiまでの時間範囲）でのばく露量Ｘi（Ｃ）を、
Ｘi（Ｃ）＝Σ（Ｗ×Ｄｃ×α（Ｃ）×ｆ（ｄ）×Ｅｃ×Ｅｒ）
として求める（Ｓ７）。
【００４３】
ここでΣは、処理Ｓ６で抽出した対象物に係る情報ごとの和をとることを意味する。また、Ｗは管理対象物質である試薬等の使用量であり、α（Ｃ）は管理対象物質ごとに定められた管理対象物質の物性による補正量を表すパラメータであり、ｆ（ｄ）は抽出した対象物に係る情報に含まれる検出装置２の位置の情報Ｐｃと、処理対象者の位置の情報Ｐｐとの距離ｄの関数であり、Ｅｃ，Ｅｒは管理対象物質の位置及び処理対象者の所在する室内のそれぞれの環境に関する補正量を表すパラメータである。
【００４４】
一例としてα（Ｃ）は、管理対象物質ごとに予め定められた蒸気圧Ｖ及び拡散長Ｌ（予めデータベース等に保持しておく）を用いて、ａＶ＋ｂ／（（４／３）πＬ3）（ここでａ，ｂはそれぞれ重みを表す管理対象物の種類に関わらない正の値のパラメータであり、予め経験的に定めておく）とすればよい。つまり、α（Ｃ）は、管理対象物質Ｃの蒸気圧Ｖ、および拡散長Ｌを半径とする球の体積の逆数１／ｖsp（ここでｖsp＝（４／３）πＬ3）に関する一次式として表すこととすればよい。
【００４５】
また、ｆ（ｄ）は、抽出した対象物に係る情報に含まれる検出装置２の位置の情報Ｐｃと、処理対象者の位置の情報Ｐｐとの距離ｄを用い、ｆ（ｄ）＝ｃ／ｄ３など、ｄの逆数の累乗に比例する値とする（なお、ｃは重みを表す、管理対象物の種類に関わらない正の値のパラメータである）。
【００４６】
そしてＥｃは０以上１以下の実数であり、対象物に係る情報に含まれる検出装置２の位置情報が表す位置が、ヒュームフード内であれば「０」、そうでなければ「１」とする環境条件に基づく補正量を表すパラメータである。またＥｒは０以上１以下の実数であり、対象物に係る情報に含まれる検出装置２の位置情報が表す部屋ごとに定められ、例えば十分な換気が為される環境であれば「０．３」、換気装置はあるが、十分でなければ「０．８」など、対象物が室内に残存する可能性が高いほど「１」に近い値とする。つまり、このＥｒは、部屋の機能等に基づく補正量を表すパラメータである。
【００４７】
また、ｉ番目の日時の情報Ｄｐiと、ｉ−１番目の日時の情報Ｄｐi-1とのそれぞれに関連付けられている処理対象者についての所在位置を表す情報Ｐｐi，Ｐｐi-1を参照し、これらが一致していなければ（Ｐｐi＝Ｐｐi-1でなければ。つまり、Ｓ４：Ｎｏならば）、Ｘi（Ｃ）＝０とする。
【００４８】
演算処理部２３は、以上の処理Ｓ３以下の処理をｉ＝２から順にＮまで変化させながら繰り返して実行し、各時間範囲での管理対象Ｄに含まれる管理対象物質Ｃごとの、処理対象者へのばく露量Ｘi（Ｃ）を求める。
【００４９】
演算処理部２３は、管理対象物質Ｃごとの処理対象者へのばく露量Ｘi（Ｃ）を累算して出力し（Ｓ８）、処理を終了する。
【００５０】
記録処理部２４は、演算処理部２３が出力する管理対象物質Ｃごとの処理対象者へのばく露量Ｘi（Ｃ）の累算値Ｘ（Ｃ）を、指定された期間内の記録として、処理対象者を特定する情報と、指定された期間を表す情報とに関連付けて、記憶部１２に累積して記録する。
【００５１】
さらにばく露量管理装置１は、管理対象物質Ｃごとの毒性に係る情報（例えば半数致死量ＬＤ５０等の情報、予めデータベース等に記録しておく）を用いて、各管理対象者の各管理対象物質Ｃへのばく露量の累積記録を参照し、所定の期間内に、半数致死量と比較して有意に高い量のばく露があった管理対象者と管理対象物質とについての情報を出力する。
【００５２】
具体的に、本実施の形態のばく露量管理装置１は、例えば月ごとに、各管理対象者の管理対象物質ごとのばく露量の合計を、指定した期間ごとに演算し、累積して記録したばく露量の情報に基づいて演算する（一例としては各ばく露量を総和すればよい）。
【００５３】
そしてばく露量管理装置１は、月間のばく露量の総計が、予め定めたしきい値を超えている演算結果がある場合に、当該演算結果に係る管理対象者を特定する情報と、管理対象物質を特定する情報とを出力する。ここでしきい値は、例えば管理対象物質ごとの半数致死量ＬＤ５０やＮＯＥＬ（No Observed Effect Level），ＴＤＩ（Tolerable Daily Intake：健康影響の観点から人が生涯に亘って摂取しても影響がないと考えられる１日あたり、体重１ｋｇあたりの摂取量）といった、管理対象物質ごとの経験的リスク値を用いて定めればよい。ここでは例として、ＬＤ５０等に対して１／１０としておく。
【００５４】
なお、ばく露量管理装置１はさらに、管理対象物質ごとの消失半減期を考慮してもよい。この場合ばく露量管理装置１は、各管理対象者を順次、処理対象者として選択する。そしてばく露量管理装置１は、選択した処理対象者について記録された各管理対象物質のばく露量の累積記録のうち、総計を求める期間の始期以降、終期までの記録を取得する。
【００５５】
ばく露量管理装置１は、取得した記録を参照し、管理対象物質ごとに、管理対象物質に対する記録Ｘ（Ｃ，Ｔi，Ｔi+1）（以下、管理対象者Ｘへの、期間ＴiからＴi+1までの管理対象物質Ｃのばく露量の記録をこのように表す）を次のように累算する。
【００５６】
すなわち、ばく露量管理装置１は、総計を求める期間の終期における、処理対象者の管理対象物質Ｃへのばく露量の総計ＸTを、
2020040062.tif 000003
として求める。ここで、総計Σは、期間の始期Ｔiが、総計を求める期間の始期Ｔstartを最初に越えた期間Ｔ1から、期間の終期Ｔi+1が、総計を求める期間の終期Ｔendを越える期間ＴNまでの和を求めることとする。
【００５７】
また、τは、
τ＝（Ｔend−Ｔi）／ｔ1/2
とする。ここで、ｔ1/2は、管理対象物質Ｃの人体における消失半減期であるものとする。
【００５８】
本実施の形態のこの例によると、ばく露量管理装置１は、各管理対象者の管理対象物質ごとのばく露量を推定して提示できる。また、このばく露量管理装置１は、管理対象者が自ら使用した化学物質等だけでなく、管理対象者が所在した室内で別の人物によって行われた実験等で利用された化学物質等の影響を考慮しており、また、使用した試薬に含まれる化学物質の含有量を考慮している。このため、本実施の形態のばく露量管理装置１によると、化学物質の使用者、あるいは化学物質が使用される現場の近くに所在した人物に対する化学物質のばく露の影響を管理できる。
【００５９】
［動作］
本実施の形態は以上の構成を備えており、次のように動作する。以下の例では、試薬Ｍ１，Ｍ２を用いた実験が行われ得る施設であって、実験室Ａ１，Ａ２がある施設に、本実施の形態のばく露量管理装置１と検出装置２とが配されているものとする。
【００６０】
また実験室Ａ１には、実験用のテーブルＡＴ１とＡＴ２とがあるものとし、実験室Ａ２には、ヒュームフードＦと、実験用のテーブルＡＴ３とが配されているものとする。さらにこの施設には、各実験室で共用の試薬の保管庫Ｒが設けられているものとする。この例では、検出装置２は、各テーブルＡＴ１，ＡＴ２，ＡＴ３及びヒュームフードＦ、並びに保管庫Ｒにそれぞれ配されているものとする。
【００６１】
さらに以下の例では、試薬Ｍ１には、管理対象物質Ｃ１，Ｃ２がそれぞれＣｗ11重量％，Ｃｗ12重量％の濃度で含まれているものとする。また試薬Ｍ２には、管理対象物質Ｃ１，Ｃ３がそれぞれＣｗ21重量％，Ｃｗ23重量％の濃度で含まれているものとし、各管理対象物質Ｃ１，Ｃ２，Ｃ３の蒸気圧がＶ１，Ｖ２，Ｖ３であり、拡散長はＬ１，Ｌ２，Ｌ３であるとする。
【００６２】
いま、この施設において管理対象となる管理対象者Ｐ１，Ｐ２がそれぞれ実験を行う場合を例として説明する。以下の例では、管理対象者Ｐ１は試薬Ｍ１を用いた実験を行い、第１日目は実験室Ａ１の実験用テーブルＡＴ１にて実験を行い、第２日目は実験室Ａ２のヒュームフードＦを用いて実験を行っているものとする（なお、ここでは異なる日での実験を例としているが、同じ日の異なる時刻での実験を対象としてもよい）。また管理対象者Ｐ２は試薬Ｍ２を用いた実験を行い、第１日目は実験室Ａ１の実験用テーブルＡＴ２を利用し、第２日目は実験室Ａ２の実験用テーブルＡＴ３を用いて実験をしているものとする。
【００６３】
このとき、第１日目と第２日目のそれぞれについて、管理対象者Ｐ１，Ｐ２のそれぞれに対する各管理対象物質Ｃ１，Ｃ２，Ｃ３のばく露量を、次のようにして求める。
【００６４】
まず上述の例では、第１日目は保管庫Ｒに配された検出装置２Ｒが、時刻ｔ１に管理対象者Ｐ１を検出する。また、このとき検出装置２Ｒは、試薬Ｍ１，Ｍ２も検出しているものとする。本実施の形態の例では、これらの管理対象者や試薬の検出は、ＲＦＩＤタグによって行うものとする。
【００６５】
管理対象者Ｐ１が時刻ｔ２には、試薬Ｍ１を持ち出して実験室Ａ１に移動しているものとすると、時刻ｔ２の時点では、検出装置２Ｒは、試薬Ｍ２を検出するが、管理対象者Ｐ１及び試薬Ｍ１は検出しない。一方、実験室Ａ１のテーブルＡＴ１の範囲を検出対象とする検出装置２ＡＴａは、時刻ｔ２において管理対象者Ｐ１及び試薬Ｍ１を検出する。
【００６６】
同様に、管理対象者Ｐ１が時刻ｔ５（便宜的に時刻ｔ２より後の時刻とする）には、保管庫Ｒに所在しており、その後の時刻ｔ６には、試薬Ｍ２を持ち出して実験室Ａ１に移動しているものとすると、時刻ｔ５の時点では、検出装置２Ｒは、管理対象者Ｐ２及び試薬Ｍ２を検出するが、時刻ｔ６となると、管理対象者Ｐ２及び試薬Ｍ２を検出しない状態となる。一方、実験室Ａ１のテーブルＡＴ２の範囲を検出対象とする検出装置２ＡＴｂは、時刻ｔ６において管理対象者Ｐ２及び試薬Ｍ２を検出する。
【００６７】
さらに本実施の形態では、検出装置２が、キーボード等の入力装置を備えるものとする。そして設定された検出範囲内において試薬等の管理対象が使用される際に、使用者等が使用している場所（テーブルＡＴ１等）を検出範囲とする検出装置２の入力装置を操作して、管理対象を特定する情報と使用量に関する情報とを入力する。例えば、以下の例では、管理対象者Ｐ１が時刻ｔ３（時刻ｔ２より後の時刻とする）において試薬Ｍ１をＭｗ１グラムだけ使用したものとし、管理対象者Ｐ２が時刻ｔ７（時刻ｔ６より後の時刻とする）において、試薬Ｍ２をＭｗ２グラムだけ使用したものとする。
【００６８】
また第２日目においても同様に各検出装置２による検出が行われたとすると、ばく露量管理装置１は、各検出装置２の検出結果を次のように記録している状態となる。なお、以下の例では、第１日目をｄ１、第２日目をｄ２と表す。
日    時刻      検出装置        検出結果
ｄ１  ｔ１      ２Ｒ            Ｐ１，Ｍ１，Ｍ２
ｄ１  ｔ２      ２Ｒ            Ｍ２
ｄ１  ｔ２      ２ＡＴａ        Ｐ１，Ｍ１
ｄ１  ｔ３      ２ＡＴａ        Ｍ１をＭｗ１グラム使用
ｄ１  ｔ５      ２Ｒ            Ｐ２，Ｍ２
ｄ１  ｔ５      ２ＡＴａ        Ｐ１，Ｍ１
ｄ１  ｔ６      ２ＡＴａ        Ｐ１，Ｍ１
ｄ１  ｔ６      ２ＡＴｂ        Ｐ２，Ｍ２
ｄ１  ｔ７      ２ＡＴｂ        Ｍ２をＭｗ２グラム使用
…
ｄ２  ｔ１１    ２Ｒ            Ｐ１，Ｍ１，Ｍ２
ｄ２  ｔ１２    ２Ｒ            Ｍ２
ｄ２  ｔ１２    ２ＡＴｃ        Ｐ１，Ｍ１
ｄ２  ｔ１３    ２Ｒ            Ｐ２，Ｍ２
ｄ２  ｔ１３    ２ＡＴｃ        Ｐ１，Ｍ１
ｄ２  ｔ１４    ２ＡＴｃ        Ｐ１，Ｍ１
ｄ２  ｔ１４    ２ＡＴｄ        Ｐ２，Ｍ２
【００６９】
ここで、実験室Ａ２のヒュームフードＦを検出範囲とする検出装置２を、検出装置２ＡＴｃ、実験室Ａ２のテーブルＡＴ３を検出範囲とする検出装置２を、検出装置２ＡＴｄとしている。また、ここでは、検出の対象となる管理対象者や試薬を検出しなかった旨の情報については、記録の記載を省略している。
【００７０】
次にこの施設における各管理対象者の、管理対象物質に対するばく露量を管理する管理者が、日ｄ１からｄ２までの間の各管理対象者Ｐ１，Ｐ２の各管理対象物質に対するばく露量を求めることとして、その旨の指示をばく露量管理装置１に入力すると、ばく露量管理装置１は次のように動作する。
【００７１】
ばく露量管理装置１は、管理対象者Ｐ１，Ｐ２のそれぞれの人物を順次、処理対象者として選択する。ここではまず管理対象者Ｐ１を処理対象者として選択したものとする。ばく露量管理装置１は、処理対象者Ｐ１についての所在位置の情報と日時の情報との組を取得する。上述の例であれば、
【００７２】
日時          所在位置        
ｄ１  ｔ１      ２Ｒ  
ｄ１  ｔ２      ２ＡＴａ
ｄ１  ｔ５      ２ＡＴａ
…
ｄ２  ｔ１１    ２Ｒ
…
といった情報を取得する。
【００７３】
ばく露量管理装置１は、指定された期間（日ｄ１からｄ２まで）に含まれる日時の情報に関連付けられた、検出装置２の位置を表す情報Ｐｃと、管理対象である試薬等の種類Ｃ及びその使用量Ｗに関する情報と（以下、対象物に係る情報と呼ぶ）を取得する。
【００７４】
上述の例では、ばく露量管理装置１は、
日時            位置            試薬等          使用量
ｄ１  ｔ１      ２Ｒ            Ｍ１，Ｍ２
ｄ１  ｔ２      ２Ｒ            Ｍ２
ｄ１  ｔ２      ２ＡＴａ        Ｍ１
ｄ１  ｔ３      ２ＡＴａ        Ｍ１            Ｍｗ１グラム
ｄ１  ｔ５      ２Ｒ            Ｍ２
ｄ１  ｔ５      ２ＡＴａ        Ｍ１
ｄ１  ｔ６      ２ＡＴａ        Ｍ１
ｄ１  ｔ６      ２ＡＴｂ        Ｍ２
ｄ１  ｔ７      ２ＡＴｂ        Ｍ２            Ｍｗ２グラム
…
ｄ２  ｔ１１    ２Ｒ            Ｍ１，Ｍ２
ｄ２  ｔ１２    ２Ｒ            Ｍ２
…
といった情報を取得する。
【００７５】
ばく露量管理装置１は、処理対象者Ｐ１の情報に含まれる日時の情報が表す日時の順に、各日時情報の時点をＴｐi（例えばＴｐ1＝ｄ１，ｔ１、Ｔｐ2＝ｄ１，ｔ２…）での処理対象者Ｐ１の位置を表す情報をＰｐi（ｉ＝１，２，…，Ｎ）を参照し、ｉ＝２から順にＮまで変化させつつ、次の処理を実行する。
【００７６】
まずばく露量管理装置１は、ｉ番目の日時の情報Ｔｐiと、ｉ−１番目の日時の情報Ｔｐi-1とのそれぞれに関連付けられている処理対象者Ｐ１についての所在位置を表す情報Ｐｐi，Ｐｐi-1を参照し、これらが一致しているか（Ｐｐi＝Ｐｐi-1であるか）を調べる。
【００７７】
当初はｉ＝２であるので、ｄ１，ｔ２の時点と、ｄ１，ｔ１の時点とのそれぞれでの処理対象者Ｐ１の位置の情報は、検出装置２ＡＴａの検出範囲と、検出装置２Ｒの検出範囲と、というように一致していない。ばく露量管理装置１は、この時間範囲での処理対象者Ｐ１への各管理対象物質Ｃのばく露量Ｘi（Ｃ）を、Ｘ2（Ｃ）＝０とする。
【００７８】
次に、ばく露量管理装置１は、ｉを「１」だけインクリメントする。先に取得した情報においてｉ＝３に相当する時点の情報は、Ｔｐ3＝ｄ１，ｔ５であり、その時点での処理対象者Ｐ１の位置は、検出装置２ＡＴａの検出範囲となっている。また、ｉ−１＝２に相当する時点Ｔｐ2＝ｄ１，ｔ２とにおいても、処理対象者Ｐ１の位置は、検出装置２ＡＴａの検出範囲であるため、ばく露量管理装置１は、各時点での処理対象者の位置が一致していると判断する。
【００７９】
そこでばく露量管理装置１は、ｉ＝３番目の日時の情報Ｔｐ3以降、ｉ−１＝２番目の日時の情報Ｔｐ2より前の対象物に係る情報を抽出する。この間における対象物に係る情報は、
ｄ１  ｔ２      ２Ｒ            Ｍ２
ｄ１  ｔ２      ２ＡＴａ        Ｍ１
ｄ１  ｔ３      ２ＡＴａ        Ｍ１            Ｍｗ１グラム
である。
【００８０】
ばく露量管理装置１は、ここで抽出した対象物に係る情報のうち、処理対象者Ｐ１の所在位置Ｐｐ3＝検出装置２ＡＴａの検出範囲との間で、予め定めた関係を有する検出装置２の位置の情報Ｐｃに関連付けられた管理対象である試薬等の種類Ｄ及びその使用量Ｗに関する情報を抽出する。
【００８１】
ここでは、ばく露量管理装置１には予め、各検出装置２の位置間の距離の情報が設定され記憶されているものとする。具体的に、この各検出装置２の位置間の距離の情報は、図５に例示するように、各検出装置２の配置位置から、当該検出装置２とは異なる検出装置２の配置位置までの距離の情報をそれぞれ記録したものである。ここで互いに異なる部屋に配された検出装置２間の距離は、実際の距離に関わらず、「∞」としておく。これは、部屋が異なれば、管理対象物質のばく露の影響がないことを表す。
【００８２】
もっとも、例えば隣接する部屋の間で仕切りが開放されている場合等であれば、部屋が異なっていても実際の距離を設定してもよい。この設定は予め管理者等によって行われるものとする。
【００８３】
本実施の形態のここでの例では、ばく露量管理装置１は、ここで抽出した対象物に係る情報のうち、処理対象者Ｐ１の所在位置Ｐｐ3＝検出装置２ＡＴａの検出範囲（配置位置）との間で「∞」でない距離の情報が設定されている（すなわち、検出装置２ＡＴａと同じ実験室Ａ１内に配置されている）検出装置２に係る情報を抽出する。
【００８４】
この結果、ばく露量管理装置１が抽出する情報は、
ｄ１  ｔ２      ２ＡＴａ        Ｍ１
ｄ１  ｔ３      ２ＡＴａ        Ｍ１            Ｍｗ１グラム
となる。
【００８５】
ばく露量管理装置１は、ここで抽出した情報を用い、処理対象者Ｐ１への管理対象Ｍ１に含まれる管理対象物質Ｃごとの、時間範囲ｔ2からｔ5までのばく露量Ｘ5（Ｃ）を、
Ｘ5（Ｃ）＝Σ（Ｗ×Ｄｃ×α（Ｃ）×ｆ（ｄ）×Ｅｃ×Ｅｒ）
として求める。
【００８６】
ここで管理対象Ｍ１には、管理対象物質Ｃ１，Ｃ２がそれぞれＣｗ11重量％，Ｃｗ12重量％の濃度で含まれているとしているので、
管理対象物質Ｃ１について：Ｗ×Ｄｃ＝Ｍｗ１×Ｃｗ11
管理対象物質Ｃ２について：Ｗ×Ｄｃ＝Ｍｗ１×Ｃｗ12
となる。また、ここでは管理対象者Ｐ１と管理対象Ｍ１とが同じ検出装置２ＡＴａにより検出されているのでその距離は「０」であり、この場合はｆ（ｄ）＝１としておく。
【００８７】
従って、
ばく露量Ｘ5（Ｃ１）＝Ｍｗ１×Ｃｗ11×（ａＶ１＋ｂＬ１）×１×Ｅｃ×Ｅｒ、
ばく露量Ｘ5（Ｃ２）＝Ｍｗ１×Ｃｗ12×（ａＶ２＋ｂＬ２）×１×Ｅｃ×Ｅｒ
となる。
【００８８】
なお、Ｅｃ，Ｅｒは、例えば検出装置２ごとに定めておけばよく、ここでは処理対象者Ｐ１を検出した検出装置２ＡＴａについて予めＥｃ＝１（ヒュームフードでない）、Ｅｒ＝０．８（換気は行われているが十分でない）、といったように設定される。
【００８９】
ばく露量管理装置１は、以下の時間範囲についても同様に処理を行い、ｔ７（管理対象Ｍ２がＭｗ２グラム使用された日時）を含む時間範囲の処理において、管理対象Ｍ２に含まれる管理対象物質Ｃ１，Ｃ３に対する管理対象者Ｐ１のばく露量が、
ばく露量Ｘ7（Ｃ１）＝Ｍｗ２×Ｃｗ21×（ａＶ１＋ｂＬ１）×ｆ（ｄ）×Ｅｃ×Ｅｒ、
ばく露量Ｘ7（Ｃ３）＝Ｍｗ２×Ｃｗ23×（ａＶ３＋ｂＬ３）×ｆ（ｄ）×Ｅｃ×Ｅｒ
として演算される。なお、ここでＥｃ，Ｅｒは、先の例と同様に、Ｅｃ＝１（ヒュームフードでない）、Ｅｒ＝０．８（換気は行われているが十分でない）、とする。また、ｆ（ｄ）は、管理対象者Ｐ１の位置（検出装置２ＡＴａの検出範囲）と、管理対象Ｍ２の検出位置（検出装置２ＡＴｂの検出範囲）の距離であり、検出装置２ＡＴａと検出装置２ＡＴｂとの距離として予め定められた値ｄについて、例えばｆ（ｄ）＝ｃ／ｄ3と定める。ここでｃは予め実験的ないし経験的に定めた正の値とする。
【００９０】
また、さらに翌日（第２日目）における、処理対象者Ｐ１の各管理対象物質に対するばく露量が演算されるが、第２日目では、処理対象者Ｐ１は、管理対象Ｍ１をヒュームフードＦ内で扱うため、Ｅｃ＝０となり、管理対象Ｍ１に含まれる管理対象物質に対するばく露量は「０」となる。
【００９１】
一方、第２日目に同じ実験室Ａ２にて行われた実験で用いられた、管理対象Ｍ２に含まれる管理対象物質に対するばく露量では、当該実験がヒュームフードＦ外で行われているので、Ｅｃ＝１であり、先の例と同様に、管理対象Ｍ２に含まれる管理対象物質に対するばく露量が演算される。以下、管理対象者Ｐ２についても同様の演算が行われる。
【００９２】
そしてばく露量管理装置１は、管理対象者Ｐ１について、この２日間での各管理対象物質Ｃ１，Ｃ２，Ｃ３のばく露量を、
Ｘ（Ｃ１）＝Ｘ５（Ｃ１）＋Ｘ７（Ｃ１）＋…
Ｘ（Ｃ２）＝Ｘ５（Ｃ２）
Ｘ（Ｃ３）＝Ｘ７（Ｃ３）＋…
というように求める。
【００９３】
ばく露量管理装置１は、管理対象物質Ｃごとの毒性に係る情報（例えば半数致死量ＬＤ５０等の情報であり、予め記憶しておくものとする）を用いて、各管理対象者の各管理対象物質Ｃへのばく露量の累積記録を参照し、所定の期間内に、半数致死量等、毒性に関する情報（毒性の影響が経験的に懸念されるばく露量に関する情報）と比較して有意に高い量のばく露があった管理対象者と管理対象物質とについての情報を出力する。例えば半数致死量の１／１０を超えるばく露量があったときに、当該ばく露を受けた管理対象者を特定する情報と、半数致死量の１／１０を超える量のばく露があった管理対象物質を特定する情報とを出力する。
【００９４】
［演算処理の変形例］
なお、ここまでに説明したばく露量の演算処理は、一例であり、ばく露量を演算する期間内の各時点での、管理対象者の所在する位置における管理対象物質の濃度を累算（積分）する処理（また管理対象者による消失半減期を考慮してもよい）を行うことができれば、どのような処理であってもよい。
【００９５】
例えば、上述の例において、所定のタイミングごとの、各検出装置２の位置での管理対象物質の残存量を、管理対象物質が使用された時点からの経過時刻Δｔを用いて、
Ｗ×ε×ｅｘｐ［−γ・Δｔ］
などと定め、これを当該検出装置２の場所に所在する管理対象者に対するばく露量の演算の基準（先の式におけるＷ×Ｄｃに相当）としてもよい。
【００９６】
この後者の方法では、試薬が使用された後に入室した管理対象者に対する、試薬に含まれる管理対象物質の影響も算定できる。
【００９７】
［その他の変形例］
またここでの例では、管理対象として試薬を例とし、管理対象物質は化学物質であるものとしていたが、本実施の形態はこれに限られず、例えば管理対象は微生物等であってもよい。また、管理対象が化学物質であって、管理対象物質は当該化学物質に含まれる放射性物質であってもよい。この場合、ばく露量は具体的には放射性物質からの放射線被曝量となる。この場合は、被爆した量を人体への影響量に換算して累算することとしてもよい。
【符号の説明】
【００９８】
１  ばく露量管理装置、２  検出装置、１１  制御部、１２  記憶部、１３  操作部、１４  表示部、１５  通信部、２１  対象物情報取得部、２２  対象者位置取得部、２３  演算処理部、２４  記録処理部。
【図１】
2020040062.tif 000004
【図２】
2020040062.tif 000005
【図３】
2020040062.tif 000006
【図４】
2020040062.tif 000007
【図５】
2020040062.tif 000008
【国際調査報告】
2020040062.tif 000009
2020040062.tif 000010
2020040062.tif 000011
2020040062.tif 000012